(57)【特許請求の範囲】
【請求項１】
繰り返し周期が情報シンボル周期と同一であり、かつ各基地局で共通に使用される第１拡散符号群と、繰り返し周期が情報シンボル周期よりも長く、かつ基地局毎に異なって使用される第２拡散符号とを用いることにより２重に拡散して情報を伝送する直接拡散ＣＤＭＡ移動通信システムにおいて前記基地局と交信する移動局の周辺セルのサーチを制御する方法において、
前記第２拡散符号および位相が既知である１つまたは２つ以上のとまり木チャネルに対応する前記第２拡散符号および前記位相を第１テーブルに記憶するステップと、
周辺基地局で使用している前記第２拡散符号を第２テーブルに記憶するステップと、
前記第２拡散符号および前記位相が未知であるとまり木チャネルをサーチする第１サーチステップと、
前記第２拡散符号および前記位相が既知であるとまり木チャネルをサーチする第２サーチステップと
を備え、
前記第１テーブルおよび前記第２テーブルを用いて前記第１サーチステップおよび前記第２サーチステップを実行することを特徴とする周辺セルのサーチを制御する方法。
【請求項２】
請求項１に記載の周辺セルのサーチを制御する方法において、
前記第１サーチステップにより、前記第２拡散符号および前記位相が未知であるとまり木チャネルをサーチした結果、該とまり木チャネルを得た場合に、該とまり木チャネルに対応する前記第２拡散符号を前記第２テーブルから前記第１テーブルに移すステップをさらに備えたことを特徴とする周辺セルのサーチを制御する方法。
【請求項３】
請求項１または請求項２に記載の周辺セルのサーチを制御する方法において、
前記第１テーブルを用いて前記第２サーチステップを実行し、
前記第２テーブルを用いて前記第１サーチステップを実行し、および、
該第２サーチステップによるサーチ結果と該第１サーチステップによるサーチ結果とを比較することにより、新たなとまり木チャネルの検出を判定するステップをさらに備えたことを特徴とする周辺セルのサーチを制御する方法。
【請求項４】
請求項１乃至請求項３のいずれかに記載の周辺セルのサーチを制御する方法において、
前記第１サーチステップは、少なくとも、
前記第１拡散符号群を用いて受信信号を逆拡散し、受信信号のマスクシンボルのタイミングでピークを検出するステップと、
前記第２拡散符号がどのグループに属するかを同定するステップと、
前記第２拡散符号を特定するステップと
を含むことを特徴とする周辺セルのサーチを制御する方法。
【請求項５】
請求項４に記載の周辺セルのサーチを制御する方法において、
前記第１テーブルを用いて前記第２サーチステップを実行し、
前記第２テーブルを用いて、前記第１サーチステップを構成するステップの一部のステップにより構成される第３サーチステップを実行し、
該第２サーチステップによるサーチ結果と該第３サーチステップによるサーチ結果とを比較することにより新たなとまり木チャネルの検出を判定し、および、
該判定結果に基づいて、前記第１サーチステップを構成するステップのうち前記第３サーチステップにおいて実行されなかったステップにより構成される第４サーチステップを実行することを特徴とする周辺セルのサーチを制御する方法。
【請求項６】
請求項１乃至請求項５のいずれかに記載の周辺セルのサーチを制御する方法において、
前記直接拡散ＣＤＭＡ移動通信システムは、情報伝送速度より高速度の拡散符号系列を用いて、情報を元の周波数帯域よりも広帯域の信号に拡散することを特徴とする周辺セルのサーチを制御する方法。
【請求項７】
繰り返し周期が情報シンボル周期と同一であり、かつ各基地局で共通に使用される第１拡散符号群と、繰り返し周期が情報シンボル周期よりも長く、かつ基地局毎に異って使用される第２拡散符号とを用いることにより２重に拡散して情報を伝送する直接拡散ＣＤＭＡ移動通信システムにおいて前期基地局と交信する移動局において、
前記第２拡散符号および位相が既知である１つまたは２つ以上のとまり木チャネルに対応する前記第２拡散符号および前記位相を記憶する第１テーブルと、
周辺基地局で使用している前記第２拡散符号を記憶する第２テーブルと、
前記第２拡散符号および前記位相が未知であるとまり木チャネルをサーチする第１サーチ手段と、
前記第２拡散符号および前記位相が既知であるとまり木チャネルをサーチする第２サーチ手段と
を備え、
前記第１テーブルおよび前記第２テーブルを用いて前記第１サーチ手段および前記第２サーチ手段を実行することを特徴とする移動局。
【請求項８】
請求項７に記載の移動局において、
前記第１サーチ手段により、前記第２拡散符号および前記位相が未知であるとまり木チャネルをサーチした結果、該とまり木チャネルを得た場合に、該とまり木チャネルに対応する前記第２拡散符号を前記第２テーブルから前記第１テーブルに移す手段をさらに備えたことを特徴とする移動局。
【請求項９】
請求項７または請求項８に記載の移動局において、
前記第１テーブルを用いて前記第２サーチ手段を実行し、
前記第２テーブルを用いて前記第１サーチ手段を実行し、および、
該第２サーチ手段によるサーチ結果と該第１サーチ手段によるサーチ結果とを比較することにより、新たなとまり木チャネルの検出を判定する手段をさらに備えたことを特徴とする移動局。
【請求項１０】
請求項７乃至請求項９のいずれかに記載の移動局において、
前記第１サーチ手段は、少なくとも、
前記第１拡散符号群を用いて受信信号を逆拡散し、受信信号のマスクシンボルのタイミングでピークを検出する手段と、
前記第２拡散符号がどのグループに属するかを同定する手段と、
前記第２拡散符号を特定する手段と
を含むことを特徴とする移動局。
【請求項１１】
請求項１０に記載の移動局において、
前記第１テーブルを用いて前記第２サーチ手段を実行し、
前記第２テーブルを用いて、前記第１サーチ手段を構成する手段の一部の手段により構成される第３サーチ手段を実行し、
該第２サーチ手段によるサーチ結果と該第３サーチ手段によるサーチ結果とを比較することにより新たなとまり木チャネルの検出を判定し、および、
該判定結果に基づいて、前記第１サーチ手段を構成する手段のうち前記第３サーチ手段において実行されなかった手段により構成される第４サーチ手段を実行することを特徴とする移動局。
【請求項１２】
請求項７乃至請求項１１のいずれかに記載の移動局において、
前記直接拡散ＣＤＭＡ移動通信システムは、情報伝送速度より高速度の拡散符号系列を用いて、情報を元の周波数帯域よりも広帯域の信号に拡散することを特徴とする移動局。
【請求項１３】
直接拡散ＣＤＭＡ移動通信システムにおいて、
請求項７乃至請求項１２のいずれかに記載の移動局を備えたことを特徴とする移動通信システム。
【発明の詳細な説明】
【０００１】
【発明の属する技術分野】
本発明は、スペクトラム拡散を用いて多元接続を行う移動通信システムにおいて、通信中ハンドオーバ制御あるいは待ち受け中ゾーン移行制御に適用される周辺セルサーチ方法および同システムを構成する移動局に関する。
【０００２】
【従来の技術】
現在普及している携帯電話のような移動通信システムでは、サービスエリア全体をセルと呼ばれる比較的小さな無線ゾーンに分割してサービスを行っている。このようなシステムは図１に示すように、分割された無線ゾーン（セル）をカバーする複数の基地局１１１、およびこれら基地局との間に無線チャネルを設定して通信を行う移動局１１２により構成されている。
【０００３】
直接拡散（Ｄｉｒｅｃｔ  Ｓｅｑｕｅｎｃｅ；  ＤＳ）−ＣＤＭＡは、従来の情報データ変調信号を高速レートの拡散符号にて拡散する２次変調を行って情報伝送することで、複数のユーザが同一の無線周波数帯を用いて通信を行う方式である。各ユーザの通信波は、各ユーザ毎に割り当てられた拡散符号により識別される。
【０００４】
移動通信システムでは、拡散に用いられる拡散符号は、繰り返し周期が情報シンボル周期と同一で全基地局に共通な第１拡散符号群と、繰り返し周期が情報シンボル周期に比較して長く基地局ごとに異なるものが使用される第２拡散符号との２種類の拡散コードの組み合わせにより構成されている。
【０００５】
図２は、本発明が対象とする移動通信システムの拡散コードの使用方法を説明するための概念図である。同図中、上段のレイヤは長周期で基地局毎に割り当てられるスクランブリングコード・レイヤ２０２を、下段のレイヤは短周期で全基地局に共通に用いられるチャネライゼーションコード・レイヤ２０４を示している。各基地局から送出される信号は、各基地局毎に割り当てられている長周期のスクランブリングコードを用いて識別される。スクランブリングコードは、システム全体として複数のコードがあらかじめ定められており、この中から各基地局へ割り当てるコードが、システム設計者により選択され、割り当てられる。
【０００６】
移動局が各基地局から送出される情報を復調するためには、送信側で周期的に繰り返されている拡散符号にタイミングを合わせた上で受信しなければならない。特にスクランブリングコードについては周期が長いためタイミングを検出するためにかかる時間が長い。そのためスクランブリングコードの繰り返されているタイミングを知ることが、移動局が各基地局のとまり木チャネルを復調する上でより重要である。本明細書においては、このスクランブリングコードの繰り返されているタイミングを「位相」とよぶことにする。実際には、絶対的な位相は必要ではなく、各基地局のスクランブリングコードのタイミングの相対的なずれ、すなわち位相差を知ることが重要となるため、ここではスクランブリングコードの相対的な位相関係を指して「位相」という言葉を使うことにする。
【０００７】
図３は、移動局において受信される各基地局からの信号について、スクランブリングコードのタイミング関係を示す模式図である。
【０００８】
図３は、局間非同期の移動通信システムの場合を示しており、基地局間の同期は必ずしも必要ではなく、移動局において受信されるスクランブリングコードのタイミングも各基地局毎に区々である。反対に、基地局間を同期させたシステムでは、スクランブリングコードのタイミングは、あらかじめその基地局に割り当てられているタイミングに正確に合わせられている。従って、基地局間の相対的なスクランブリングコードのタイミングは、常に一定であり、かつ不変である。このような局間非同期のシステムと局間同期のシステムとを比較すると、局間非同期のシステムは、同期システムが必要とする同期のためのＧＰＳ（Ｇｌｏｂａｌ  Ｐｏｓｉｔｉｏｎｉｎｇ  Ｓｙｓｔｅｍ）などのタイミングソースが不要であり、一般に、局間同期システムと比較して、システム拡張などに柔軟に対応可能であるという優れた長所を有している。
【０００９】
ところで、基地局からある送信電力で送信された電波は、減衰しながら空間を伝搬し、受信点に到達する。電波が受ける減衰量は、送信点と受信点の距離が遠くなるほど大きくなるという性質があるため、基本的に、遠い基地局から送信されるとまり木チャネルは弱い受信レベルで、近い基地局から送信されるとまり木チャネルは強い受信レベルで受信される。現実には、伝搬損失の大小は、距離だけではなく、地形や建造物などの状況により異なってくるため、移動局の移動に伴って各基地局からのとまり木チャネルの受信電力は大きく変動する。各基地局からのとまり木チャネルの受信レベルが常に変動する状況にあっては、所要の受信レベル以上となるとまり木は常に入れ替わっており、それまで受信していたとまり木の受信レベルが急に低くなり受信不能となったり、逆に、それまで受信不能だったとまり木の受信レベルが急に高くなり受信可能となったりする。基地局から送信される信号をよりよい品質で受信するためには、移動局は各基地局からのとまり木チャネルを常に監視し、最良の基地局を選択することが重要となる。
【００１０】
非同期の移動通信システムでは、拡散符号および位相ともに未知のとまり木を高速にサーチする必要がある。任意の位相をサーチする方法として、文献（Ｈｉｇｕｃｈｉ，  Ｓａｗａｈａｓｈｉ，  Ａｄａｃｈｉ，  ”Ｆａｓｔ  Ｃｅｌｌ  Ｓｅａｒｃｈ  Ａｌｇｏｒｉｔｈｍ  Ｉｎ  Ｉｎｔｅｒ−Ｃｅｌｌ  Ａｓｙｎｃｈｒｏｎｏｕｓ  ＤＳ−ＣＤＭＡ  Ｍｏｂｉｌｅ  Ｒａｄｉｏ，”  ＩＥＩＣＥ  Ｔｒａｎｓ．  Ｃｏｍｍｕｎ．，  Ｖｏｌ．  Ｅ８１−Ｂ，  Ｎｏ．  ７，  Ｊｕｌｙ  １９９８）に示された「３段階セルサーチ」とよばれる方法がある。この方法ではチャネライゼーションコードおよびスクランブリングコードで２重に拡散されるとまり木チャネルの一部にスクランブリングコードを用いずにチャネライゼーションコードでのみ拡散される部分である「マスクシンボル」を設ける。
【００１１】
図４は、とまり木チャネルの構造を説明するための概念図である。
【００１２】
最初に、移動局は、全基地局で共通に使用されるチャネライゼーションコード４０４を用いて受信信号を逆拡散すると、スクランブリングコードの種類に関わらず受信信号のマスクシンボル４０８のタイミングでピークを検出できる（第１ステップ）。
【００１３】
次に、第１ステップで抽出したタイミングに基づいて、マスクシンボル４０８と同一の位置に重畳されているスクランブリングコードグループコード４０６を検出し、受信対象としている基地局が用いているスクランブリングコードがどのグループに属するかを同定する（第２ステップ）。
【００１４】
次に、第２ステップで決定したグループに属するスクランブリングコードの各々を用いて、対象とする基地局が用いているスクランブリングコード４０２を特定する（第３ステップ）。
【００１５】
なお、この方法が適用されるシステムでは、多数存在する各々のスクランブリングコードはあらかじめグループ分けされている。一方、局間同期のシステムでは、基地局間のスクランブリングコード位相差が既知であるために、サーチするタイミングを一定幅の時間範囲（サーチウィンドウ）に限定することができるため、セルサーチにかかる消費電力や時間を節約することが可能である。
【００１６】
【発明が解決しようとする課題】
しかしながら、局間非同期システムにおける従来のサーチ手法では、局間同期のシステムと比較して、セルサーチにかかる消費電力や時間が増大してしまうため、携帯端末のバッテリが早く消耗してしまうという問題点を有していた。
【００１７】
また、移動局のセルサーチを簡易化するために、局間同期のシステムとすると、上述した局間非同期のシステムが本来持っている長所を十分に活かすことができずに、システム全体のコストが増大してしまうという重大な問題点を有していた。
【００１８】
上記問題点に鑑み、本発明は、局間非同期のシステムにおいてその長所を活かしつつ、移動局がセルサーチにかける消費電力や時間を小さく抑え、なおかつ、システム全体のコストを増大させることないような、周辺セルのサーチを制御する方法および移動局を提供することを目的とする。
【００１９】
【課題を解決するための手段】
このような目的を達成するために、請求項１に記載の発明は、繰り返し周期が情報シンボル周期と同一であり、かつ各基地局で共通に使用される第１拡散符号群と、繰り返し周期が情報シンボル周期よりも長く、かつ基地局毎に異なって使用される第２拡散符号とを用いることにより２重に拡散して情報を伝送する直接拡散ＣＤＭＡ移動通信システムにおいて前記基地局と交信する移動局の周辺セルのサーチを制御する方法において、前記第２拡散符号および位相が既知である１つまたは２つ以上のとまり木チャネルに対応する前記第２拡散符号および前記位相を第１テーブルに記憶するステップと、周辺基地局で使用している前記第２拡散符号を第２テーブルに記憶するステップと、前記第２拡散符号および前記位相が未知であるとまり木チャネルをサーチする第１サーチステップと、前記第２拡散符号および前記位相が既知であるとまり木チャネルをサーチする第２サーチステップとを備え、前記第１テーブルおよび前記第２テーブルを用いて前記第１サーチステップおよび前記第２サーチステップを実行することを特徴とする。
【００２０】
請求項２に記載の発明は、請求項１に記載の周辺セルのサーチを制御する方法において、前記第１サーチステップにより、前記第２拡散符号および前記位相が未知であるとまり木チャネルをサーチした結果、該とまり木チャネルを得た場合に、該とまり木チャネルに対応する前記第２拡散符号を前記第２テーブルから前記第１テーブルに移すステップをさらに備えたことを特徴とする。
【００２１】
請求項３に記載の発明は、請求項１または請求項２に記載の周辺セルのサーチを制御する方法において、前記第１テーブルを用いて前記第２サーチステップを実行し、前記第２テーブルを用いて前記第１サーチステップを実行し、および、該第２サーチステップによるサーチ結果と該第１サーチステップによるサーチ結果とを比較することにより、新たなとまり木チャネルの検出を判定するステップをさらに備えたことを特徴とする。
【００２２】
請求項４に記載の発明は、請求項１乃至請求項３のいずれかに記載の周辺セルのサーチを制御する方法において、前記第１サーチステップは、少なくとも、前記第１拡散符号群を用いて受信信号を逆拡散し、受信信号のマスクシンボルのタイミングでピークを検出するステップと、前記第２拡散符号がどのグループに属するかを同定するステップと、前記第２拡散符号を特定するステップとを含むことを特徴とする。
【００２３】
請求項５に記載の発明は、請求項４に記載の周辺セルのサーチを制御する方法において、前記第１テーブルを用いて前記第２サーチステップを実行し、前記第２テーブルを用いて、前記第１サーチステップを構成するステップの一部のステップにより構成される第３サーチステップを実行し、該第２サーチステップによるサーチ結果と該第３サーチステップによるサーチ結果とを比較することにより新たなとまり木チャネルの検出を判定し、および、該判定結果に基づいて、前記第１サーチステップを構成するステップのうち前記第３サーチステップにおいて実行されなかったステップにより構成される第４サーチステップを実行することを特徴とする。
【００２４】
請求項６に記載の発明は、請求項１乃至請求項５のいずれかに記載の周辺セルのサーチを制御する方法において、前記直接拡散ＣＤＭＡ移動通信システムは、情報伝送速度より高速度の拡散符号系列を用いて、情報を元の周波数帯域よりも広帯域の信号に拡散することを特徴とする。
【００２５】
請求項７に記載の発明は、繰り返し周期が情報シンボル周期と同一であり、かつ各基地局で共通に使用される第１拡散符号群と、繰り返し周期が情報シンボル周期よりも長く、かつ基地局毎に異って使用される第２拡散符号とを用いることにより２重に拡散して情報を伝送する直接拡散ＣＤＭＡ移動通信システムにおいて前期基地局と交信する移動局において、前記第２拡散符号および位相が既知である１つまたは２つ以上のとまり木チャネルに対応する前記第２拡散符号および前記位相を記憶する第１テーブルと、周辺基地局で使用している前記第２拡散符号を記憶する第２テーブルと、前記第２拡散符号および前記位相が未知であるとまり木チャネルをサーチする第１サーチ手段と、前記第２拡散符号および前記位相が既知であるとまり木チャネルをサーチする第２サーチ手段とを備え、前記第１テーブルおよび前記第２テーブルを用いて前記第１サーチ手段および前記第２サーチ手段を実行することを特徴とする。
【００２６】
請求項８に記載の発明は、請求項７に記載の移動局において、前記第１サーチ手段により、前記第２拡散符号および前記位相が未知であるとまり木チャネルをサーチした結果、該とまり木チャネルを得た場合に、該とまり木チャネルに対応する前記第２拡散符号を前記第２テーブルから前記第１テーブルに移す手段をさらに備えたことを特徴とする。
【００２７】
請求項９に記載の発明は、請求項７または請求項８に記載の移動局において、前記第１テーブルを用いて前記第２サーチ手段を実行し、前記第２テーブルを用いて前記第１サーチ手段を実行し、および、該第２サーチ手段によるサーチ結果と該第１サーチ手段によるサーチ結果とを比較することにより、新たなとまり木チャネルの検出を判定する手段をさらに備えたことを特徴とする。
【００２８】
請求項１０に記載の発明は、請求項７乃至請求項９のいずれかに記載の移動局において、前記第１サーチ手段は、少なくとも、前記第１拡散符号群を用いて受信信号を逆拡散し、受信信号のマスクシンボルのタイミングでピークを検出する手段と、前記第２拡散符号がどのグループに属するかを同定する手段と、前記第２拡散符号を特定する手段とを含むことを特徴とする。
【００２９】
請求項１１に記載の発明は、請求項１０に記載の移動局において、前記第１テーブルを用いて前記第２サーチ手段を実行し、前記第２テーブルを用いて、前記第１サーチ手段を構成する手段の一部の手段により構成される第３サーチ手段を実行し、該第２サーチ手段によるサーチ結果と該第３サーチ手段によるサーチ結果とを比較することにより新たなとまり木チャネルの検出を判定し、および、該判定結果に基づいて、前記第１サーチ手段を構成する手段のうち前記第３サーチ手段において実行されなかった手段により構成される第４サーチ手段を実行することを特徴とする。
【００３０】
請求項１２に記載の発明は、請求項７乃至請求項１１のいずれかに記載の移動局において、前記直接拡散ＣＤＭＡ移動通信システムは、情報伝送速度より高速度の拡散符号系列を用いて、情報を元の周波数帯域よりも広帯域の信号に拡散することを特徴とする。
【００３１】
請求項１３に記載の発明は、直接拡散ＣＤＭＡ移動通信システムにおいて、請求項７乃至請求項１２のいずれかに記載の移動局を備えたことを特徴とする。
【００３２】
以上の構成によれば、移動局がすでに第２拡散符号、位相ともに既知となったとまり木チャネル、すなわち捕捉済みのとまり木チャネルを記憶する第１テーブルを用意することにより、これらのとまり木に対しては保持した位相に対して一定幅の時間範囲（サーチウィンドウ）に限定してサーチすればよいため、セルサーチにかかる電力や時間が軽減される。
【００３３】
また、通常、移動局は、在圏する基地局から周辺の基地局がどのスクランブリングコードを用いているかを示す情報を受け取り、それに基づいてセルサーチを行う。本発明では、すでに捕捉済みのとまり木チャネルをこのテーブルからすでに捕捉済みのとまり木のテーブルに移すように構成したため、位相未知のとまり木をサーチする際に候補をより限定することができ、位相既知のとまり木のサーチを簡易化するだけでなく、位相未知のとまり木チャネルのサーチをも簡易化するように作用する。
【００３４】
さらに、本発明は、前記第１テーブルに対して前記第２サーチ手法を適用する一方、前記第２テーブルに対しては複数のステップから構成される前記第１サーチ手法の途中のステップまでで構成される第３サーチ手法を適用し、前記第２サーチ手法によるサーチ結果と前記第３サーチ手法によるサーチ結果を比較することにより新たなとまり木チャネルの検出を判定し、該判定結果に基づいて前記第１サーチ手法と前記第３サーチ手法の差分のステップを行うことを要旨としている。従って、移動局がすでに捕捉済みのとまり木チャネルの第２拡散符号および位相を最大限に利用することにより、位相未知のとまり木チャネルを３段階セルサーチの３ステップまで行わず、途中のステップ１や２まででこれまで捕捉済みのとまり木チャネル以外の新たなとまり木チャネルが出現したかどうかを判定可能となるように作用し、必ずしも必要ではない３段階のセルサーチをより簡易化するように作用する。
【００３５】
【発明の実施の形態】
以下、図面を参照しながら、本発明の実施の形態について詳細に説明する。
【００３６】
図５は、本発明が適用される移動局の構成の一例を示すブロック図である。
【００３７】
移動局５００は、移動局送受信装置５０２、ユーザインタフェース５０４、周辺基地局情報取得・処理回路５０６、共通制御回路５０８、セルサーチ制御回路５１０、メモリ５１２、アンテナ５１４およびバス５１６を含む。ここで、図５においては、移動局の構成中、本発明に関係する部分のみを示している。
【００３８】
移動局送受信装置５０２は、基地局から送出される無線変調されたユーザ情報や制御信号を復調したり、ユーザ信号や制御信号を符号化および変調し、送信するための装置である。移動局送受信装置５０２は、アンテナ５１４およびユーザインターフェース５０４にそれぞれ接続されている。
【００３９】
共通制御回路５０８は、移動局の全般的な制御を司る回路である。
【００４０】
セルサーチ制御回路５１０は、周辺基地局情報などに基づいてタイミングを制御しながらセルサーチ動作を制御し、またサーチ結果をメモリ５１２に格納する動作を行う。
【００４１】
周辺基地局情報取得・処理回路５０６は、在圏基地局から通知される周辺基地局のスクランブリングコード情報を受信および処理し、メモリ５１２に格納する動作を行う。
【００４２】
共通制御回路５０８、セルサーチ制御回路５１０、周辺基地局情報取得・処理回路５０６およびメモリ５１２はバス５１６を介して相互に接続されている。
【００４３】
図６は、本発明の動作の一例を説明する概念図であり、図６における移動局６０２の動作を図９に示すフロー図を参照して説明する。
【００４４】
図６の右図のように、移動局６０２は、ページング情報などを受信する在圏基地局から周辺の基地局が使用しているスクランブリングコードの情報を取得し、図６の左図のように、メモリ上のコードテーブル６０４の周辺基地局のコードテーブル６０８に格納する（ステップＳ９０２）。
【００４５】
移動局６０２は、このテーブル６０８に基づいて、スクランブリングコードおよび位相ともに未知のとまり木チャネルに対してセルサーチを実行し（ステップＳ９０４）、捕捉されたとまり木チャネル（図６の右図における細い実線の矢印）に対応するスクランブリングコードおよびその位相を保持するテーブル６０６を作成し（ステップＳ９０６）、周辺基地局のコードテーブル６０８から該当するスクランブリングコードを削除する（ステップＳ９０８）。
【００４６】
その時に捕捉できなかったとまり木チャネル（図６の右図における破線の矢印）はスクランブリングコードおよび位相ともに未知のままである。ここで位相とは、すでに説明したように各スクランブリングコードの位相差に対応している。図６では移動局が基準として持っているタイミングに対する各スクランブリングコードの位相差をチップ数（１チップは”０”、”１”のパタンの繰り返しで構成される拡散符号の１ビットに対応）で表した場合を想定して数値の一例を示している。
【００４７】
移動局が矢印の方向へ移動するに伴ってセルサーチを実行し、捕捉できた場合には、捕捉済みテーブル６０６へ移動させることになる（ステップＳ９１０）。
【００４８】
図７は、新規とまり木を判定する動作の一例を説明する概念図であ、図７における移動局の動作を図１０に示すフロー図を参照して説明する。
【００４９】
図７は、新規とまり木のサーチとしてまず第１ステップのみを行い、その結果に基づいて新規とまり木を判定する場合について説明している。
【００５０】
新規とまり木をサーチするために、任意の位相位置をサーチする第１ステップを実行する（ステップＳ１００２）。それとは別に、すでに捕捉済みのとまり木チャネルに対してその位相を再確認するためのウィンドウサーチを実行する（ステップＳ１００４）。次に、両者の結果を比較し（ステップＳ１００６）、現在捕捉済みのとまり木以外のものを新たなとまり木チャネルと判定し（ステップＳ１００８）、該とまり木チャネルに対して第２、第３ステップを実行し、スクランブリングコードの同定を行っている（ステップＳ１０１０）。
【００５１】
さらに、図８は、新規とまり木のサーチとして第１および第２ステップを用いる場合の新規とまり木の判定動作の一例を説明する図である。
【００５２】
新規とまり木のサーチで得られた結果が、すでに捕捉済みのとまり木か、または新規とまり木かを判定する際に、スクランブリングコードグループ情報を利用できる点が、図７と異なっている。
【００５３】
図８中において、Ｇ１、Ｇ７、Ｇ１５、およびＧ３と記載されているのは、スクランブリングコードグループである。Ｇ１、Ｇ７、Ｇ１５、およびＧ３は、各位相で検出されているとまり木に使用されているスクランブリングコードが属するグループが、それぞれ、第１のグループ、第７のグループ、第１５のグループ、および第３のグループであることを示している。
【００５４】
すでに捕捉済みのとまり木のスクランブリングコードグループと位相とを比較することにより、そのどちらかが異なれば新規とまり木と判定し第３ステップを実行する。
【００５５】
図８では、Ｇ３と記載した位相にて受信されるとまり木が新規とまり木と判定されている。これは、このとまり木が、位相およびスクランブリングコードともに、これまでに捕捉済みのとまり木の位相およびスクランブリングコードとは異なっているからである。
【００５６】
また、図では説明していないが、新規とまり木のサーチとして第１〜第３ステップまでの全てのステップを実行する場合には、新規とまり木のサーチ結果として、スクランブリングコードおよび位相の両方を新規とまり木の判定に用いることができる点が異なるだけで、動作は図７および図８と全く同様である。
【００５７】
本実施の形態の説明では、便宜上、新規とまり木のサーチおよび捕捉済みとまり木の確認が常に同時に行われるかのごとく説明したが、本発明は、かかる実施の形態に限定されるものではない。例えば、両者を定期的に行う場合には両者を異なる頻度にて実行するような設定とし、一方のサーチが他方のサーチよりも高頻度に（あるいは低頻度に）行うような構成としてもよいし、両者をそれぞれの必要に応じて実行するなど、状況に適応的に制御するような構成としてもよい。どのような方法を採ったとしても、捕捉済みとまり木と新規とまり木のサーチ結果を用いて両者の比較により新規とまり木を判定するように構成する限りにおいて、同様の効果が得られる。
【００５８】
【発明の効果】
以上説明したように、本発明によれば、局間非同期のシステムにおいてその長所を活かしつつ、移動局がセルサーチにかける消費電力や時間を小さく抑え、なおかつ、システム全体のコストを増大させることないような、周辺セルのサーチを制御する方法および移動局を提供することが可能となる。
【図面の簡単な説明】
【図１】移動通信システムの一例を示す図である。
【図２】移動通信システムの拡散コードの使用方法を説明するための概念図である。
【図３】移動局において受信される各基地局からの信号について、スクランブリングコードのタイミング関係を示す模式図である。
【図４】とまり木チャネルの構造を説明するための概念図である。
【図５】本発明が適用される移動局の構成の一例を示すブロック図である。
【図６】本発明の動作の一例を説明する概念図である。
【図７】新規とまり木を判定する動作の一例を説明する概念図である。
【図８】新規とまり木のサーチとして第１および第２ステップを用いる場合の新規とまり木の判定動作の一例を説明する図である。
【図９】図６における移動局６０２の動作の一例を示すフロー図である。
【図１０】図７における移動局の動作の一例を示すフロー図である。
【符号の説明】
１１１    基地局
１１２    移動局
２０２    スクランブリングコード・レイヤ
２０４    チャナライゼーションコード・レイヤ
４０２    マスクされたスクランブリングコード
４０４    共通チャネライゼーションコード
４０６    スクランブリングコードグループコード
４０８    マスクシンボル
４１０    スクランブリングコード周期
４１２    チャネライゼーションコード周期
５００    移動局
５０２    移動局送受信装置
５０４    ユーザインタフェース
５０６    周辺基地局情報取得・処理回路
５０８    共通制御回路
５１０    セルサーチ制御回路
５１２    メモリ
５１４    アンテナ
５１６    バス
６０２    移動局
６０４    移動局内のメモリ上のコードテーブル
６０６    現在捕捉しているコードテーブル
６０８    周辺基地局のコードテーブル
【図１】
0003611991.tif 000002
【図２】
0003611991.tif 000003
【図３】
0003611991.tif 000004
【図４】
0003611991.tif 000005
【図５】
0003611991.tif 000006
【図６】
0003611991.tif 000007
【図７】
0003611991.tif 000008
【図８】
0003611991.tif 000009
【図９】
0003611991.tif 000010
【図１０】
0003611991.tif 000011